(57)【特許請求の範囲】
【請求項１】
少なくとも部分的にはランダムアクセスチャネル（ＲＡＣＨ）手順に基づいてアクセスポイントとの接続を確立した後、ＲＡＣＨ信号を送信するためのコマンドを前記アクセスポイントから受信することと、
少なくとも部分的には前記コマンドに基づき前記ＲＡＣＨ信号を前記アクセスポイントに送信することと、ここにおいて前記ＲＡＣＨ信号は、少なくとも部分的には前記コマンドに基づいて選択される前記アクセスポイントとの接続を確立するために使用された以前のＲＡＣＨプリアンブルを含む、
を備える、ワイヤレス通信の方法。
【請求項２】
さらに、前記ＲＡＣＨ信号に関連した１つまたは複数のパラメータを備えるＲＡＣＨレスポンス信号を前記アクセスポイントから受信することを備える、請求項１に記載の方法。
【請求項３】
前記１つまたは複数のパラメータが、前記コマンドの送信時刻および前記ＲＡＣＨ信号の受信時刻に関連した絶対ラウンドトリップタイム（ＲＴＴ）を備える、請求項２に記載の方法。
【請求項４】
少なくとも部分的には前記絶対ＲＴＴに基づき前記アクセスポイントの距離を推定することと、
少なくとも部分的には前記距離および前記アクセスポイントの位置に関連した１つまたは複数の参照座標に基づき位置を決定することと、
をさらに備える、請求項３に記載の方法。
【請求項５】
前記１つまたは複数のパラメータが、前記ＲＡＣＨ信号に関連した受信信号電力を備える、請求項２に記載の方法。
【請求項６】
少なくとも部分的には、前記ＲＡＣＨ信号に関連した前記受信信号電力と前記ＲＡＣＨ信号を前記アクセスポイントに送信するために利用された信号電力とに基づいて前記アクセスポイントに関連した経路損失を計算することをさらに備える、請求項５に記載の方法。
【請求項７】
前記コマンドを受信することが、コンテンション無しのＲＡＣＨプリアンブルを前記アクセスポイントから受信することを含み、前記ＲＡＣＨ信号を送信することが、前記コンテンション無しのＲＡＣＨプリアンブルをアクセスポイントに送信することを含む、請求項１に記載の方法。
【請求項８】
前記ＲＡＣＨ信号に関連した１つまたは複数のパラメータを備えるＲＡＣＨレスポンス信号を異種のアクセスポイントから受信することをさらに備える、請求項１に記載の方法。
【請求項９】
少なくとも部分的にはランダムアクセスチャネル（ＲＡＣＨ）手順に基づいてアクセスポイントとの接続を確立した後、前記アクセスポイントに関連したＲＡＣＨ上で送信するためにコマンドを前記アクセスポイントから取得し、かつ、
ＲＡＣＨ信号を前記アクセスポイントに前記ＲＡＣＨ上で伝達する、ここにおいて前記ＲＡＣＨ信号は、少なくとも部分的には前記コマンドに基づいて選択される前記アクセスポイントとの接続を確立するために使用された以前のＲＡＣＨプリアンブルを含む、
ように構成された少なくとも１つのプロセッサーと、
前記少なくとも１つのプロセッサーに結合されたメモリと、
を備える、ワイヤレス通信装置。
【請求項１０】
前記少なくとも１つのプロセッサーがさらに、前記ＲＡＣＨ信号に関連した１つまたは複数のパラメータを備えるＲＡＣＨレスポンス信号を前記アクセスポイントから取得するように構成される、請求項９に記載のワイヤレス通信装置。
【請求項１１】
前記１つまたは複数のパラメータが、前記コマンドの送信時刻および前記ＲＡＣＨ信号の受信時刻に関連した絶対ラウンドトリップタイム（ＲＴＴ）を備える、請求項１０に記載のワイヤレス通信装置。
【請求項１２】
前記少なくとも１つのプロセッサーがさらに、
少なくとも部分的には前記絶対ＲＴＴに基づき前記アクセスポイントの距離を計算し、かつ、
少なくとも部分的には前記距離と、前記アクセスポイントの位置に関連した１つまたは複数の参照座標とに基づき前記ワイヤレス通信装置の位置を決定する、
ように構成された、請求項１１に記載のワイヤレス通信装置。
【請求項１３】
前記コマンドが、コンテンション無しのＲＡＣＨプリアンブルを含み、前記少なくとも１つのプロセッサーがさらに、少なくとも部分的には前記コンテンション無しのＲＡＣＨプリアンブルに基づき前記ＲＡＣＨ信号を生成するように構成された、請求項９に記載のワイヤレス通信装置。
【請求項１４】
少なくとも部分的にはランダムアクセスチャネル（ＲＡＣＨ）手順に基づいてアクセスポイントとの接続を確立した後、ＲＡＣＨ信号を送信するためのコマンドを前記アクセスポイントから受信するための手段と、
少なくとも部分的には前記コマンドに基づき前記ＲＡＣＨ信号を前記アクセスポイントに送信するための手段と、ここにおいて前記ＲＡＣＨ信号は、少なくとも部分的には前記コマンドに基づいて選択される前記アクセスポイントとの接続を確立するために使用された以前のＲＡＣＨプリアンブルを含む、
を備える、ワイヤレス通信装置。
【請求項１５】
前記ＲＡＣＨ信号に関連した１つまたは複数のパラメータを備えるＲＡＣＨレスポンス信号を前記アクセスポイントから受信するための手段をさらに備える、請求項１４に記載のワイヤレス通信装置。
【請求項１６】
前記１つまたは複数のパラメータが、前記コマンドの送信時刻および前記ＲＡＣＨ信号の受信時刻に関連した絶対ラウンドトリップタイム（ＲＴＴ）を備える、請求項１５に記載のワイヤレス通信装置。
【請求項１７】
前記絶対ＲＴＴを前記ＲＡＣＨレスポンス信号から抽出するための手段と、
少なくとも部分的には前記絶対ＲＴＴに基づき少なくとも部分的には前記アクセスポイントの推定距離を計算することにより前記ワイヤレス通信装置の位置を決定するための手段と、
をさらに備える、請求項１６に記載のワイヤレス通信装置。
【請求項１８】
前記コマンドが、コンテンション無しのＲＡＣＨプリアンブルを含み、前記ＲＡＣＨ信号が、前記コンテンション無しのＲＡＣＨプリアンブルを備える、請求項１４に記載のワイヤレス通信装置。
【請求項１９】
少なくとも１つのコンピュータに、少なくとも部分的にはランダムアクセスチャネル（ＲＡＣＨ）手順に基づいてアクセスポイントとの接続を確立した後、前記アクセスポイントに関連したＲＡＣＨ上で送信するためにコマンドを前記アクセスポイントから取得させるためのコードと、
前記少なくとも１つのコンピュータに、ＲＡＣＨ信号を前記アクセスポイントに前記ＲＡＣＨ上で伝達させるためのコードと、ここにおいて前記ＲＡＣＨ信号は、少なくとも部分的には前記コマンドに基づいて選択される前記アクセスポイントとの接続を確立するために使用された以前のＲＡＣＨプリアンブルを含む、
を記憶しているコンピュータ可読記憶媒体。
【請求項２０】
前記コンピュータ可読記憶媒体がさらに、前記少なくとも１つのコンピュータに、前記ＲＡＣＨ信号に関連した１つまたは複数のパラメータを備えるＲＡＣＨレスポンス信号を前記アクセスポイントから取得させるためのコードを記憶している、請求項１９に記載のコンピュータ可読記憶媒体。
【請求項２１】
前記１つまたは複数のパラメータが、前記コマンドの送信時刻および前記ＲＡＣＨ信号の受信時刻に関連した絶対ラウンドトリップタイム（ＲＴＴ）を備える、請求項２０に記載のコンピュータ可読記憶媒体。
【請求項２２】
前記コンピュータ可読記憶媒体がさらに、
前記少なくとも１つのコンピュータに、少なくとも部分的には前記絶対ＲＴＴに基づき前記アクセスポイントの距離を計算させるためのコードと、
前記少なくとも１つのコンピュータに、少なくとも部分的には前記距離と、前記アクセスポイントの位置に関連した１つまたは複数の参照座標とに基づき位置を決定させるためのコードと、
を記憶している、請求項２１に記載のコンピュータ可読記憶媒体。
【請求項２３】
前記コマンドが、コンテンション無しのＲＡＣＨプリアンブルを含み、前記コンピュータ可読記憶媒体がさらに、前記少なくとも１つのコンピュータに、少なくとも部分的には前記コンテンション無しのＲＡＣＨプリアンブルに基づき前記ＲＡＣＨ信号を生成させるためのコードを記憶している、請求項１９に記載のコンピュータ可読記憶媒体。
【請求項２４】
少なくとも部分的にはランダムアクセスチャネル（ＲＡＣＨ）手順に基づいてアクセスポイントとの接続を確立した後、ＲＡＣＨ信号を送信するためのコマンドを前記アクセスポイントから取得するＲＡＣＨリクエスト受信コンポーネントと、
少なくとも部分的には前記コマンドに基づき前記ＲＡＣＨ信号を前記アクセスポイントに送信してＲＡＣＨ手順を始動するＲＡＣＨ始動コンポーネントと、ここにおいて前記ＲＡＣＨ信号は、少なくとも部分的には前記コマンドに基づいて選択される前記アクセスポイントとの接続を確立するために使用された以前のＲＡＣＨプリアンブルを含む、
を備える、ワイヤレス通信装置。
【請求項２５】
前記ＲＡＣＨ信号に関連した１つまたは複数のパラメータを備えるＲＡＣＨレスポンス信号を前記アクセスポイントから取得するＲＡＣＨレスポンス受信コンポーネントをさらに備える、請求項２４に記載のワイヤレス通信装置。
【請求項２６】
前記１つまたは複数のパラメータが、前記コマンドの送信時刻と前記ＲＡＣＨ信号の受信時刻に関連した絶対ラウンドトリップタイム（ＲＴＴ）を備える、請求項２５に記載のワイヤレス通信装置。
【請求項２７】
前記絶対ＲＴＴを前記ＲＡＣＨレスポンス信号から抽出するＲＴＴ決定コンポーネントと、
少なくとも部分的には前記絶対ＲＴＴに基づき少なくとも部分的には前記アクセスポイントの推定距離を計算することにより前記ワイヤレス通信装置の位置を計算する位置決定コンポーネントと、
をさらに備える、請求項２６に記載のワイヤレス通信装置。
【請求項２８】
前記コマンドが、コンテンション無しのＲＡＣＨプリアンブルを含み、前記ＲＡＣＨ信号が、前記コンテンション無しのＲＡＣＨプリアンブルを備える、請求項２４に記載のワイヤレス通信装置。
【請求項２９】
少なくとも部分的にはランダムアクセスチャネル（ＲＡＣＨ）手順に基づいてワイヤレスデバイスとの接続を確立した後、ＲＡＣＨ信号を前記ワイヤレスデバイスから要求することと、前記ＲＡＣＨ信号を前記ワイヤレスデバイスから受信することと、ここにおいて前記ＲＡＣＨ信号は、少なくとも部分的には前記要求に基づいて選択される前記ワイヤレスデバイスとの接続を確立するために使用された以前のＲＡＣＨプリアンブルを含む、
少なくとも部分的には前記ＲＡＣＨ信号に基づいて１つまたは複数の通信パラメータを決定することと、
を備える、ワイヤレス通信の方法。
【請求項３０】
前記１つまたは複数の通信パラメータを含むＲＡＣＨレスポンス信号を前記ワイヤレスデバイスに送信すること、をさらに備える、請求項２９に記載の方法。
【請求項３１】
前記１つまたは複数の通信パラメータを決定することが、少なくとも部分的には前記始動を要求することに関連した送信時刻と前記ＲＡＣＨ信号に関連した受信時刻に基づいて絶対ラウンドトリップタイム（ＲＴＴ）を決定することを含む、請求項３０に記載の方法。
【請求項３２】
前記１つまたは複数の通信パラメータを決定することが、前記ＲＡＣＨ信号の受信信号電力を決定することを含む、請求項３０に記載の方法。
【請求項３３】
前記始動を要求することが、特定のコンテンション無しのＲＡＣＨプリアンブルの送信を要求することを含み、前記ＲＡＣＨ信号が、前記特定のコンテンション無しのＲＡＣＨプリアンブルを含む、請求項２９に記載の方法。
【請求項３４】
前記ワイヤレスデバイスに送信するためのＲＡＣＨレスポンス信号または前記１つまたは複数の通信パラメータを異種のアクセスポイントに伝達すること、をさらに備える、請求項２９に記載の方法。
【請求項３５】
少なくとも１つのプロセッサーであって、
少なくとも部分的にはランダムアクセスチャネル（ＲＡＣＨ）手順に基づいてワイヤレスデバイスとの接続を確立した後、ＲＡＣＨ信号を送信するためのリクエストを前記ワイヤレスデバイスに伝達し、
前記ＲＡＣＨ信号を前記ワイヤレスデバイスから取得し、ここにおいて前記ＲＡＣＨ信号は、少なくとも部分的には前記リクエストに基づいて選択される前記ワイヤレスデバイスとの接続を確立するために使用された以前のＲＡＣＨプリアンブルを含む、
少なくとも部分的には前記ＲＡＣＨ信号に基づき１つまたは複数の通信パラメータを計算するように構成された少なくとも１つのプロセッサーと、
前記少なくとも１つのプロセッサーに結合されたメモリと、
を備える、ワイヤレス通信装置。
【請求項３６】
前記少なくとも１つのプロセッサーがさらに、前記１つまたは複数の通信パラメータを前記ワイヤレスデバイスにＲＡＣＨレスポンス信号内で送信するように構成される、請求項３５に記載のワイヤレス通信装置。
【請求項３７】
前記少なくとも１つのプロセッサーがさらに、少なくとも部分的には前記リクエストを伝達することに関連した送信時刻と前記ＲＡＣＨ信号に関連した受信時刻に基づいて絶対ラウンドトリップタイム（ＲＴＴ）を決定するように構成され、前記１つまたは複数の通信パラメータが、前記ＲＴＴを備える、請求項３６に記載のワイヤレス通信装置。
【請求項３８】
前記ＲＡＣＨ手順を始動するための前記リクエストが、コンテンション無しのＲＡＣＨプリアンブルを含み、前記ＲＡＣＨ信号が、前記コンテンション無しのＲＡＣＨプリアンブルを含む、請求項３５に記載のワイヤレス通信装置。
【請求項３９】
少なくとも部分的にはランダムアクセスチャネル（ＲＡＣＨ）手順に基づいてワイヤレスデバイスとの接続を確立した後、ＲＡＣＨ信号を前記ワイヤレスデバイスから要求するための手段と、
前記ＲＡＣＨ信号を前記ワイヤレスデバイスから受信するための手段と、ここにおいて前記ＲＡＣＨ信号は、少なくとも部分的には前記要求に基づいて選択される前記ワイヤレスデバイスとの接続を確立するために使用された以前のＲＡＣＨプリアンブルを含む、
少なくとも部分的には前記ＲＡＣＨ信号に基づいて１つまたは複数の通信パラメータを決定するための手段と、
を備える、ワイヤレス通信装置。
【請求項４０】
さらに、前記１つまたは複数の通信パラメータを含むＲＡＣＨレスポンス信号を前記ワイヤレスデバイスに送信するための手段を備える、請求項３９に記載のワイヤレス通信装置。
【請求項４１】
前記１つまたは複数の通信パラメータが、少なくとも部分的には前記始動を要求することに関連した送信時刻と前記ＲＡＣＨ信号に関連した受信時刻に基づき計算される絶対ラウンドトリップタイム（ＲＴＴ）を備える、請求項４０に記載のワイヤレス通信装置。
【請求項４２】
少なくとも１つのコンピュータに、少なくとも部分的にはランダムアクセスチャネル（ＲＡＣＨ）手順に基づいてワイヤレスデバイスとの接続を確立した後、ＲＡＣＨ信号を送信させるためのリクエストを前記ワイヤレスデバイスに伝達させるためのコードと、
前記少なくとも１つのコンピュータに、前記ＲＡＣＨ信号を前記ワイヤレスデバイスから取得させるためのコードと、ここにおいて前記ＲＡＣＨ信号は、少なくとも部分的には前記リクエストに基づいて選択される前記ワイヤレスデバイスとの接続を確立するために使用された以前のＲＡＣＨプリアンブルを含む、
前記少なくとも１つのコンピュータに、少なくとも部分的には前記ＲＡＣＨ信号に基づき１つまたは複数の通信パラメータを計算させるためのコードと、
を記憶しているコンピュータ可読記憶媒体。
【請求項４３】
前記コンピュータ可読記憶媒体がさらに、前記少なくとも１つのコンピュータに、前記１つまたは複数の通信パラメータを前記ワイヤレスデバイスにＲＡＣＨレスポンス信号内で送信させるためのコードを記憶している、請求項４２に記載のコンピュータ可読記憶媒体。
【請求項４４】
前記コンピュータ可読記憶媒体がさらに、前記少なくとも１つのコンピュータに、前記リクエストを伝達することに関連した送信時刻と前記ＲＡＣＨ信号に関連した受信時刻とに少なくとも部分的に基づいて絶対ラウンドトリップタイム（ＲＴＴ）を決定させるためのコードを備え、前記１つまたは複数の通信パラメータが、前記ＲＴＴを備える、請求項４３に記載のコンピュータ可読記憶媒体。
【請求項４５】
前記ＲＡＣＨ手順を始動するための前記リクエストが、コンテンション無しのＲＡＣＨプリアンブルを含み、前記ＲＡＣＨ信号が、前記コンテンション無しのＲＡＣＨプリアンブルを含む、請求項４２に記載のコンピュータ可読記憶媒体。
【請求項４６】
少なくとも部分的にはランダムアクセスチャネル（ＲＡＣＨ）手順に基づいてワイヤレスデバイスとの接続を確立した後、前記ワイヤレスデバイスにＲＡＣＨ信号を送信することを命令するＲＡＣＨ要求コンポーネントと、
前記ＲＡＣＨ信号を前記ワイヤレスデバイスから取得するＲＡＣＨプリアンブル受信コンポーネントと、ここにおいて前記ＲＡＣＨ信号は、少なくとも部分的には前記命令に基づいて選択される前記ワイヤレスデバイスとの接続を確立するために使用された以前のＲＡＣＨプリアンブルを含む、
少なくとも部分的には前記ＲＡＣＨ信号に基づき１つまたは複数の通信パラメータを計算するパラメータ生成コンポーネントと、
を備える、ワイヤレス通信装置。
【請求項４７】
さらに、前記１つまたは複数の通信パラメータを含むＲＡＣＨレスポンス信号を前記ワイヤレスデバイスに送信するＲＡＣＨ応答コンポーネントを備える、請求項４６に記載のワイヤレス通信装置。
【請求項４８】
前記１つまたは複数の通信パラメータが、前記ＲＡＣＨ要求コンポーネントが前記ＲＡＣＨ手順を始動することを前記ワイヤレスデバイスに命令することに関連した送信時刻と前記ＲＡＣＨプリアンブル受信コンポーネントが前記ＲＡＣＨ信号を取得することに関連した受信時刻とに少なくとも部分的に基づき計算された絶対ラウンドトリップタイム（ＲＴＴ）を備える、請求項４７に記載のワイヤレス通信装置。
【発明の詳細な説明】
【技術分野】
【０００１】
相互参照
本出願は、全てが参照により本出願に組み込まれる、２００９年６月２６日に出願された「ＲＴＴ  ＢＡＳＥＤ  Ｅ−ＣＩＤ  ＩＮ  ＬＴＥ」という名称の米国仮出願第６１／２２０，９９０号の利益を主張する。
【０００２】
本開示は、一般にワイヤレス通信に関し、より詳細にはワイヤレスデバイスに関連した通信パラメータを決定することに関する。
【背景技術】
【０００３】
ワイヤレス通信システムは、例えば、音声、データなどといった様々な形式の通信コンテンツを提供するために幅広く展開されている。典型的なワイヤレス通信システムは、利用可能なシステム資源（例えば、帯域幅、送信電力、．．．）を共有することにより複数の利用者との通信をサポートする能力がある多元アクセスシステムであろう。そのような多元アクセスシステムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。さらに、システムは、第３世代パートナーシッププロジェクト（３ＧＰＰ）、３ＧＰＰロングタームエボリューション（ＬＴＥ）、ウルトラモバイルブロードバンド（ＵＭＢ）他などの仕様に従うことができる。
【０００４】
一般的に、ワイヤレス多元アクセス通信システムは、複数のモバイルデバイスに対する通信を同時にサポートすることができる。各モバイルデバイスは、１つまたは複数のアクセスポイント（例えば、基地局、フェムトセル、ピコセル、中継ノード、および／または同様のもの）と下りリンクおよび上りリンク上の伝送を通じて通信することができる。下りリンク（またはダウンリンク）は、アクセスポイントからモバイルデバイスへの通信リンクを指し、また上りリンク（またはアップリンク）は、モバイルデバイスからアクセスポイントへの通信リンクを指す。さらに、モバイルデバイスとアクセスポイント間の通信は、１入力１出力（ＳＩＳＯ）システム、多入力１出力（ＭＩＳＯ）システム、多入力多出力（ＭＩＭＯ）システムなどにより確立され得る。さらに、モバイルデバイスは、他のモバイルデバイスと（および／またはアクセスポイントは他のアクセスポイントと）ピアツーピアのワイヤレスネットワーク形態で通信することもできる。
【発明の概要】
【０００５】
以下には、様々な態様の基本的な理解がなされるように特許請求された主題の態様の簡略化された概要を示す。本概要は、全ての考慮される態様の詳細な要約ではなく、また、鍵となるまたは重要な要素を特定することでもそのような態様の範囲を描くことを意図したものでもない。その唯一の目的は、後述のより詳細な説明に対する準備として簡単化された形でいくつかの開示された態様の概念を表すことである。
【０００６】
１つまたは複数の実施形態および対応したそれらの開示によれば、様々な態様は、ワイヤレスデバイスに関連した通信パラメータを測定するためのランダムアクセス手順の始動要求を容易にすることに関連して説明される。例えば、ワイヤレスデバイスは、アクセスポイントとランダムアクセス手順を実行してアクセスポイントとの通信を確立することができる。アクセスポイントは、続いて、ワイヤレスデバイスからの別のランダムアクセス手順を要求することができる。ワイヤレスデバイスは、別のランダムアクセス手順を始動することができ、アクセスポイントは、ランダムアクセス手順から１つまたは複数のパラメータ（例えば、ランダムアクセス手順の要求に続くワイヤレスデバイスからの信号受信に関連したラウンドトリップタイム（ＲＴＴ）、受信信号電力および／または同様のもの）を決定することができる。さらに、ある例では、アクセスポイントは、１つまたは複数のパラメータをワイヤレスデバイスに提供することができ、ワイヤレスデバイスは、１つまたは複数の計算に当該パラメータを利用することもできる。
【０００７】
ある態様によれば、ＲＡＣＨ信号を送信するためのコマンドをアクセスポイントから受信することと、少なくとも部分的にはコマンドに基づきアクセスポイントにＲＡＣＨ信号を送信することとを含むワイヤレス通信の方法が提供される。
【０００８】
別の態様は、ワイヤレス通信装置に関連する。ワイヤレス通信装置は、アクセスポイントに関連したＲＡＣＨ上で送信するためにコマンドをアクセスポイントから取得するように構成された少なくとも１つのプロセッサーを具備することができる。少なくとも１つのプロセッサーはさらに、ＲＡＣＨ信号をＲＡＣＨを通じてアクセスポイントに伝達するように構成される。ワイヤレス通信装置はまた、少なくとも１つのプロセッサーに結合されたメモリを備える。
【０００９】
さらに別の態様は、装置に関する。装置は、ＲＡＣＨ信号を送信するためのコマンドをアクセスポイントから受信するための手段を具備する。装置はまた、少なくとも部分的にはコマンドに基づきＲＡＣＨ信号をアクセスポイントに送信するための手段を具備する。
【００１０】
さらに別の態様は、少なくとも１つのコンピュータに、アクセスポイントに関連したＲＡＣＨ上で送信するためにコマンドをアクセスポイントから取得させるためのコードを含むコンピュータ読み取り可能な媒体を有することができる、コンピュータプログラム製品に関する。コンピュータ読み取り可能な媒体はまた、少なくとも１つのコンピュータにＲＡＣＨ信号をＲＡＣＨ上でアクセスポイントに伝達させるためのコードを備えることができる。
【００１１】
さらに、別の態様は、ＲＡＣＨ信号を送信するためのコマンドをアクセスポイントから取得するＲＡＣＨリクエスト受信コンポーネントを具備する装置に関する。装置はさらに、ＲＡＣＨ手順を始動するために少なくとも部分的にはコマンドに基づきＲＡＣＨ信号をアクセスポイントに送信するＲＡＣＨ始動コンポーネントを具備する。
【００１２】
別の態様によれば、ワイヤレスデバイスからＲＡＣＨ手順の始動を要求することと、ワイヤレスデバイスからＲＡＣＨ信号を受信することと、を含む、ワイヤレス通信の方法が提供される。本方法はさらに、少なくとも部分的にはＲＡＣＨ信号に基づき１つまたは複数の通信パラメータを決定することを含む。
【００１３】
別の態様は、ワイヤレス通信装置に関する。ワイヤレス通信装置は、ＲＡＣＨ手順を始動するためのリクエストをワイヤレスデバイスに伝達し、かつ、ＲＡＣＨ信号をワイヤレスデバイスから取得するように構成された少なくとも１つのプロセッサーを具備することができる。少なくとも１つのプロセッサーはさらに、少なくとも部分的にはＲＡＣＨ信号に基づき１つまたは複数の通信パラメータを計算するように構成される。ワイヤレス通信装置はまた、少なくとも１つのプロセッサーに結合されたメモリを備える。
【００１４】
さらに別の態様は、装置に関する。本装置は、ＲＡＣＨ手順の始動をワイヤレスデバイスから要求するための手段と、ＲＡＣＨ信号をワイヤレスデバイスから受信するための手段と、を具備する。本装置はまた、少なくとも部分的にはＲＡＣＨ信号に基づき１つまたは複数の通信パラメータを決定するための手段を具備する。
【００１５】
さらに別の態様は、少なくとも１つのコンピュータにＲＡＣＨ手順を始動するためのリクエストをワイヤレスデバイスに伝達させるためのコードと、少なくとも１つのコンピュータにワイヤレスデバイスからＲＡＣＨ信号を取得させるためのコードと、を含むコンピュータ読み取り可能な媒体を有することができる、コンピュータプログラム製品に関する。コンピュータ読み取り可能な媒体はまた、少なくとも１つのコンピュータに少なくとも部分的にはＲＡＣＨ信号に基づき１つまたは複数の通信パラメータを計算させるためのコードを備える。
【００１６】
さらに、別の態様は、ワイヤレスデバイスにＲＡＣＨ手順を始動することを命令するＲＡＣＨ要求コンポーネントと、ＲＡＣＨ信号をワイヤレスデバイスから取得するＲＡＣＨプリアンブル受信コンポーネントと、を具備する装置に関する。本装置はさらに、少なくとも部分的にはＲＡＣＨ信号に基づき１つまたは複数の通信パラメータを計算するパラメータ生成コンポーネントを具備する。
【００１７】
前記および関連した目標の達成のために、１つまたは複数の実施形態は、以下に十分に説明され、特に特許請求の範囲で指摘される特徴を備える。以下の説明および付属の図面では、１つまたは複数の実施形態のいくつかの例示的態様を詳細に記載している。これらの態様は、様々な実施形態の原理が使用される可能性がある様々な方法を、一部ではあるが、示しており、説明された実施形態は、全てのこれらの態様およびそれらの均等物を含むことを意図している。
【図面の簡単な説明】
【００１８】
【図１】ランダムアクセスチャネル（ＲＡＣＨ）信号を送信するようにワイヤレスデバイスに命令するためのシステムのブロック図。
【図２】ワイヤレス通信環境内での使用のための例示的通信装置の説明図。
【図３】ＲＡＣＨ手順で通信パラメータをワイヤレスデバイスに提供するための例示的ワイヤレス通信システムを示す図。
【図４】ＲＡＣＨ手順中に受信されたラウンドトリップタイム（ＲＴＴ）に基づき位置決めを決定するための例示的ワイヤレス通信システムを示す図。
【図５】コマンド受信に基づきＲＡＣＨ手順を始動する例示的方法の流れ図。
【図６】ＲＡＣＨ手順においてＲＴＴ受信に基づき位置を決定する例示的方法の流れ図。
【図７】ワイヤレスデバイスにＲＡＣＨ手順を始動するように命令する例示的方法の流れ図。
【図８】ＲＡＣＨ手順においてワイヤレスデバイスにＲＴＴを提供する例示的方法の流れ図。
【図９】受信したリクエストに基づきＲＡＣＨ手順を始動する例示的装置のブロック図。
【図１０】ワイヤレスデバイスからＲＡＣＨ手順始動を要求する例示的装置のブロック図。
【図１１】本明細書に記載される機能の様々な態様を実装するために利用され得る例示的ワイヤレス通信デバイスのブロック図。
【図１２】本明細書に記載される機能の様々な態様を実装するために利用され得る例示的ワイヤレス通信デバイスのブロック図。
【図１３】本明細書に記載される様々な態様に従った例示的ワイヤレス多元アクセス通信システムを示す図。
【図１４】本明細書に記載される様々な態様が機能し得る例示的ワイヤレス通信システムを示すブロック図。
【発明を実施するための形態】
【００１９】
ここで、特許請求された主題の様々な態様は、図面を参照して説明され、同一の参照番号が全体を通じて同一の要素を示すために使用される。以下の説明では、説明の目的で、１つまたは複数の態様の完全な理解をもたらすために多数の具体的な詳細が、記載される。しかしながら、そのような態様が、これらの具体的な詳細なしに実践され得ることは明らかであろう。他の例では、１つまたは複数の態様の説明を容易にするために、既知の構造およびデバイスがブロック図内に示される。
【００２０】
本出願中に使用される場合、用語「コンポーネント」、「モジュール」、「システム」などは、ハードウェア、ファームウェア、ハードウェアとソフトウェアの組み合わせ、ソフトウェア、または実行中のソフトウェアのいずれであれ、コンピュータ関連の実体を指すことを意図している。例えば、コンポーネントは、プロセッサー、集積回路、オブジェクト、実行可能ファイル、スレッド、プログラムおよび／またはコンピュータ上で実行されるプロセスであり得るが、それらに限定されない。例として、計算デバイス上で動作するアプリケーションと計算デバイスの両方とも、コンポーネントであり得る。１つまたは複数のコンポーネントは、プロセスおよびスレッド内に存在することができ、コンポーネントは、１つのコンピュータ上に局所化するおよび／または２つ以上のコンピュータに分散させることができる。さらに、これらのコンポーネントは、様々なデータ構造が格納される様々なコンピュータ読み取り可能な媒体から実行することができる。コンポーネントは、１つまたは複数のデータパケット（例えば、ローカルなシステム、分散システム内で別なコンポーネントと、および／またはインターネットなどのネットワークを介して信号で他のシステムと対話するあるコンポーネントからのデータ）を有する信号に従うといったように、ローカルおよび／またはリモートプロセスを通して通信することができる。
【００２１】
さらに、様々な態様が、ワイヤレス端末および／または基地局と関連して本明細書に記載される。ワイヤレス端末は、音声および／またはデータ接続性を利用者に提供するデバイスを指すことができる。ワイヤレス端末は、ラップトップコンピュータまたはデスクトップコンピュータなどの計算デバイスに接続され得る、あるいは、携帯情報端末（ＰＤＡ）などの内蔵式デバイスであり得る。ワイヤレス端末はまた、ワイヤレスデバイス、システム、加入者ユニット、加入者局、移動局、モバイル、遠隔局、アクセスポイント、リモート端末、アクセス端末、利用者端末、ユーザエージェント、ユーザデバイス、または利用者装置（ＵＥ）とも呼ばれ得る。ワイヤレス端末は、加入者局、ワイヤレスデバイス、携帯電話、ＰＣＳ方式電話、コードレス電話、セッション開始プロトコル（ＳＩＰ）電話、無線ローカルループ（ＷＬＬ）局、携帯情報端末（ＰＤＡ）、ワイヤレス接続能力を有する携帯デバイス、またはワイヤレスモデムに接続された他の処理デバイスであり得る。基地局（例えば、アクセスポイントまたはＥｖｏｌｖｅｄ  Ｎｏｄｅ  Ｂ（ｅＮＢ）または他のＮｏｄｅ  Ｂ）は、無線インターフェースを介して、１つまたは複数のセクターを通じて、ワイヤレス端末と通信する、アクセスネットワーク内のデバイスを指すことができる。基地局は、受信した無線インターフェースのフレームをＩＰパケットに変換することにより、ワイヤレス端末とインターネットプロトコル（ＩＰ）ネットワークを含み得る、他のアクセスネットワークとの間のルータとして働くことができる。基地局はまた、無線インターフェースに対する属性の管理を調整する。
【００２２】
さらに、本明細書に記載される様々な機能は、ハードウェア、ソフトウェア、ファームウェアまたはそれらの任意の組み合わせ中に実装され得る。ソフトウェア内に実装される場合、機能は、１つまたは複数の命令またはコードとしてコンピュータ読み取り可能な媒体上に格納されるかまたは送信され得る。コンピュータ読み取り可能な媒体には、コンピュータ記憶媒体と、あるところから別なところへのコンピュータプログラムの転送を容易にする任意の媒体を含む通信媒体の両者が含まれる。記憶媒体は、コンピュータによりアクセスされ得る任意の利用可能な媒体であり得る。限定するものではなく、例として、このようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは所望のプログラムコードを命令またはデータ構造の形で搬送または格納するために使用され得て、かつ、コンピュータによりアクセスされ得る、任意の他の媒体を備えることができる。また、任意の接続も、コンピュータ読み取り可能な媒体と厳密には呼ばれる。例えば、ソフトウェアがウエブサイト、サーバまたは他の遠隔のソースから同軸ケーブル、光ファイバーケーブル、撚り線対、デジタル加入者線（ＤＳＬ）、または赤外線、無線、およびマイクロ波などのワイヤレス技術を使用して送信される場合、同軸ケーブル、光ファイバーケーブル、撚り線対、ＤＳＬ、または赤外線、無線、およびマイクロ波などのワイヤレス技術は、媒体の定義に含まれる。ディスク（disk）およびディスク（Disc）は、本明細書で使用される場合、コンパクトディスク（ＣＤ）、レーザディスク、光ディスク、デジタル多用途ディスク（ＤＶＤ）、フロッピー（登録商標）ディスク、およびブルーレイディスク（ＢＤ）を含み、ここで、ディスク（disk）は、通常、データを磁気的に再生し、また、ディスク（disc）は、データをレーザにより光で再生する。上記の組み合わせもまた、コンピュータ読み取り可能な媒体の範囲内に含まれることになる。
【００２３】
本明細書に記載される様々な技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリヤＦＤＭＡ（ＳＣ−ＦＤＭＡ）システム、および他のこのようなシステムなどの様々なワイヤレス通信システム用に使用され得る。用語「システム」および「ネットワーク」は、本明細書でしばしば同じ意味で使用される。ＣＤＭＡシステムは、ユニバーサル地上無線アクセス（ＵＴＲＡ）、ＣＤＭＡ２０００などの無線技術を実装することができる。ＵＴＲＡは、広帯域ＣＤＭＡ（Ｗ−ＣＤＭＡ）と、ＣＤＭＡの他の変異形を含む。さらに、ＣＤＭＡ２０００には、ＩＳ２０００と、ＩＳ−９５と、ＩＳ−８５６標準と、が含まれる。ＴＤＡＭシステムは、汎欧州デジタル移動電話方式（ＧＳＭ（登録商標））などの無線技術を実装することができる。ＯＦＤＭＡシステムは、次世代ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）他などの無線技術を実装することができる。ＵＴＲＡおよびＥ−ＵＴＲＡは、ユニバーサルモバイル通信システム（ＵＭＴＳ）の一部である。３ＧＰＰロングタームエボリューション（ＬＴＥ）は、ダウンリンクにＯＦＤＭＡを、アップリンクにＳＣ−ＦＤＭＡを採用する、Ｅ−ＵＴＲＡを使用する次期リリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と名付けられた組織からの文書中に説明されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ２」（３ＧＰＰ２）と名付けられた組織からの文書中に説明されている。
【００２４】
様々な態様は、複数のデバイス、コンポーネント、モジュール、および同様のものを含むことができるシステムの観点で表されることになる。様々なシステムが、付加的なデバイス、コンポーネント、モジュールなどを具備することができ、および／または図面に関連して説明されるデバイス、コンポーネント、モジュールなどの全ては具備できないことが、理解され認められるべきである。これらの手法の組み合わせもまた使用され得る。
【００２５】
ここで図面を参照すると、図１は、ワイヤレスデバイスとのランダムアクセス手順を要求して、それらに関連した通信パラメータを決定することを容易にする例示的システム１００を示す。システム１００は、アクセスポイントからコアネットワーク（図示されない）へのアクセスを受けるワイヤレスデバイス１０２を含む。アクセスポイント１０４は、実質的に、マクロセルアクセスポイント、フェムトセルまたはピコセルアクセスポイント、ｅＮＢ、モバイル基地局、中継ノード、それらの一部、および／または同様のものなど、ワイヤレスネットワークアクセスを提供する任意のデバイスであり得る。ワイヤレスデバイス１０２は、実質的に、モバイルデバイス、ＵＥ、モデム（または他の接続された(tethered)テザーデバイス）、それらの一部他など、ワイヤレスネットワークアクセスを受ける任意のデバイスであり得る。
【００２６】
ある例によれば、描かれてはいないが、ワイヤレスデバイス１０２は、ＲＡＣＨプリアンブル（例えば、メッセージ１）を送信することと、ワイヤレスデバイス１０２に対するタイミングアドバンス（ＴＡ）を含むことができる、ＲＡＣＨレスポンス（例えば、メッセージ２）を受信することと、スケジュール伝送(scheduled transmission)（例えば、メッセージ３）、コンテンション解決(contention resolution)（例えばメッセージ４）などを含む、アクセスポイント１０４と接続するためのランダムアクセスチャネル（ＲＡＣＨ）手順（例えば、３ＧＰＰ  ＬＴＥ中に定義されているような）を実行することができる。さらに、ＲＡＣＨ手順はまた、物理ＲＡＣＨ（ＰＲＡＣＨ）手順と呼ばれ得る。ワイヤレスデバイス１０２が、ワイヤレスネットワークへのアクセスを受けるためにアクセスポイント１０４に接続されると、アクセスポイント１０４は、アクセスポイント１０４と別のＲＡＣＨ手順を始動するようにワイヤレスデバイス１０２に指示するＲＡＣＨリクエスト１０６信号をワイヤレスデバイス１０２へ送信することができる。ある例では、ＲＡＣＨリクエスト１０６信号は、アクセスポイント１０４が、ＲＡＣＨリクエスト１０６信号中でワイヤレスデバイス１０２が利用するＲＡＣＨプリアンブルを指定して、ＲＡＣＨ手順を実行する他のワイヤレスデバイスとの干渉を軽減することができる、コンテンション無しの(contention-free)ＲＡＣＨリクエスト信号であり得る。
【００２７】
さらに、例えば、ワイヤレスデバイス１０２は、少なくとも部分的にはＲＡＣＨリクエスト１０６信号の受信に基づいてＲＡＣＨプリアンブル１０８をアクセスポイント１０４に伝えることができる。このことは、３ＧＰＰ  ＬＴＥ中に定義されるメッセージ１  ＲＡＣＨプリアンブルに類似し得る。ある例では、ＲＡＣＨプリアンブル１０８は、コンテンション無しのＲＡＣＨリクエスト信号であるＲＡＣＨリクエスト１０６信号中に指定されたものであり得て、類似のＲＡＣＨプリアンブルでもあり得えて、および／または同様のものであり得る。ＲＡＣＨプリアンブル１０８を受信すると、アクセスポイント１０４は、少なくとも部分的にはＲＡＣＨプリアンブル１０８に基づき通信パラメータ１１０を決定することができる。ある例では、通信パラメータ１１０を決定することには、ＲＡＣＨリクエスト１０６信号の送信とＲＡＣＨプリアンブル１０８の受信との間のラウンドトリップタイム（ＲＴＴ）を計測すること、ＲＡＣＨプリアンブル１０８の受信信号電力を計測すること、および／または同様のことを含むことができる。
【００２８】
アクセスポイント１０４は、ＲＡＣＨレスポンス１１２をワイヤレスデバイス１０２に送信することができる。ある例では、ＲＡＣＨレスポンス１１２は、３ＧＰＰ  ＬＴＥ中に定義されているメッセージ２  ＲＡＣＨレスポンスに類似し得る。ある例では、ＲＡＣＨレスポンス１１２は、ＲＴＴ、受信信号電力、および／または同様のものなどの、１つまたは複数の決定された通信パラメータを含むことができる。この例では、ワイヤレスデバイス１０２は、１つまたは複数の通信パラメータを（例えば、位置決定のためにアクセスポイント１０４の距離を推定するために、少なくとも部分的にはアクセスポイント１０４での受信信号電力に基づき経路損失を計算するために、および／または同様のことのために）利用することができる。
【００２９】
次に図２を参照して、ワイヤレス通信ネットワークに参加することができる通信装置２００が示される。通信装置２００は、ワイヤレス端末、アクセスポイント、それらの一部、またはワイヤレスネットワークへのアクセスを受ける実質的に任意のデバイスであり得る。通信装置２００は、ＲＡＣＨ手順を始動するためにアクセスポイントからリクエスト信号を取得するＲＡＣＨリクエスト受信コンポーネント２０２と、ＲＡＣＨ手順の一部としてＲＡＣＨプリアンブルをアクセスポイントに送信するＲＡＣＨ始動コンポーネント２０４と、を具備することができる。
【００３０】
ある例によれば、通信装置２００は、ワイヤレスネットワークにアクセスするためにアクセスポイントとの通信（図示されない）を確立することができる。ある例では、ＲＡＣＨリクエスト受信コンポーネント２０２は、アクセスポイント（または異種のアクセスポイント）とのＲＡＣＨ手順を始動するためのコマンドまたはリクエスト信号（または他の命令）を取得することができる。例えば、ＲＡＣＨリクエスト受信コンポーネント２０２は、アクセスポイントからリクエスト信号を取得することができる。ＲＡＣＨ始動コンポーネント２０４は、ＲＡＣＨプリアンブルをリクエストに応答してアクセスポイント（または異種のアクセスポイント）に送信することができる。さらに、ある例では、リクエストは、コンテンション無しのＲＡＣＨを送信することに関連付けることができ、従って、ＲＡＣＨ手順の始動において利用するＲＡＣＨプリアンブルを指定することができる。この例では、ＲＡＣＨ始動コンポーネント２０４は、ＲＡＣＨ手順を始動するために指定されたＲＡＣＨプリアンブルを送信することができる。そうでなければ、ある例においては、ＲＡＣＨ始動コンポーネント２０４は、コマンドまたはリクエスト信号の受信に基づいて、アクセスポイントに関連したＲＡＣＨプリアンブルを選択し、アクセスポイントとの接続を確立するために使用された以前のＲＡＣＨプリアンブルを選択し、および／または同様のことができる。
【００３１】
前記のように、例えば、ＲＡＣＨ手順の始動は、続いて通信装置２００に提供され得る、１つまたは複数の通信パラメータの決定を支援することができる。例えば、１つまたは複数の通信パラメータは、ＲＡＣＨリクエストからＲＡＣＨ手順始動のラウンドトリップタイム、ＲＡＣＨプリアンブルの受信信号電力、および／または同様のものに関連付けることができる。通信装置２００は、本明細書に記載されるように、付加的なパラメータを計算するために１つまたは複数の通信パラメータを利用することができる。
【００３２】
ここで図３を参照すると、ＲＡＣＨ手順を始動することを指示することによりワイヤレスデバイスに対する通信パラメータの決定を容易にするワイヤレス通信システム３００が示される。システム３００は、ワイヤレスデバイス１０２などの、１つまたは複数のワイヤレスデバイスにコアネットワーク（図示されない）へのアクセスを提供するアクセスポイント１０４を含む。アクセスポイント１０４は、マクロセルアクセスポイント、フェムトセルまたはピコセルアクセスポイント、ｅＮＢ、モバイル基地局、中継ノード、それらの一部、および／または同様のものなどの、ワイヤレスネットワークアクセスを提供する、実質的に任意のデバイスであり得る。ワイヤレスデバイス１０２は、前述のように、モバイルデバイス、ＵＥ、モデム（または他の接続されたデバイス）、それらの一部他などの、ワイヤレスネットワークアクセスを受ける、実質的に任意のデバイスであり得る。
【００３３】
ワイヤレスデバイス１０２は、リクエスト信号をアクセスポイントから取得して、それによりＲＡＣＨ手順を始動するＲＡＣＨリクエスト受信コンポーネント２０２と、ＲＡＣＨ手順を始動するためにＲＡＣＨプリアンブルをアクセスポイントに送信するＲＡＣＨ始動コンポーネント２０４と、ＲＡＣＨプリアンブルに応答するＲＡＣＨレスポンス信号をアクセスポイントから取得するＲＡＣＨレスポンス受信コンポーネント３０２と、を備えることができる。ワイヤレスデバイス１０２は、さらに、少なくとも部分的にはアクセスポイントからのＲＡＣＨレスポンス信号に基づいて１つまたは複数の通信パラメータを受信するパラメータ決定コンポーネント３０４と、付加的な情報を決定するために１つまたは複数の通信パラメータを処理するパラメータ利用コンポーネント３０６と、を具備する。
【００３４】
アクセスポイント１０４は、ＲＡＣＨ手順を始動するためのリクエストを生成し、ワイヤレスデバイスに送信するＲＡＣＨ要求コンポーネント３０８と、ＲＡＣＨ手順に対するリクエストに基づくＲＡＣＨプリアンブルをワイヤレスデバイスから取得するＲＡＣＨプリアンブル受信コンポーネント３１０と、を備える。さらに、アクセスポイント１０４は、ＲＡＣＨプリアンブルの取得に関連する１つまたは複数の通信パラメータを計算することができるパラメータ生成コンポーネント３１２と、ＲＡＣＨレスポンス信号をワイヤレスデバイスに（例えば、１つまたは複数の通信パラメータまたはその他のものを含んで）送信することができるＲＡＣＨ応答コンポーネント３１４と、を具備することができる。
【００３５】
ある例によれば、ワイヤレスデバイス１０２は、ワイヤレスネットワークと通信するためにアクセスポイント１０４に（例えば、前記のように、ＲＡＣＨ手順を介して）接続することができる。接続されると、ＲＡＣＨ要求コンポーネント３０８は、１つまたは複数の通信パラメータを測定するために、ワイヤレスデバイス１０２に送信するためのＲＡＣＨリクエスト信号を生成することができる。ある例では、ＲＡＣＨリクエスト信号は、ＲＡＣＨプリアンブルを処理するためにアクセスポイント１０４と同様のコンポーネントを具備することができる、異種のアクセスポイント（図示されない）にＲＡＣＨプリアンブルを提供することに関連付けることができる。ＲＡＣＨ要求コンポーネント３０８は、ＲＡＣＨリクエスト信号をワイヤレスデバイス１０２に送信することができる。ＲＡＣＨリクエスト受信コンポーネント２０２は、前記のように、ＲＡＣＨリクエスト信号を取得することができ、ＲＡＣＨ始動コンポーネント２０４は、ＲＡＣＨリクエスト信号に応答してアクセスポイント１０４（または異種のアクセスポイント）に送信するためのＲＡＣＨプリアンブルを（例えば、ランダムに、以前に利用されたＲＡＣＨプリアンブルに基づき、などにより）生成することができる。さらに、ある例では、ＲＡＣＨリクエスト信号は、コンテンション無しのＲＡＣＨ手順を要求することに関連することができ、従って、ワイヤレスデバイス１０２により送信されるべきＲＡＣＨプリアンブルを含むことができる。
【００３６】
ＲＡＣＨ始動コンポーネント２０４は、ＲＡＣＨプリアンブルを、それが生成されたものであれ、受信したものであれ、アクセスポイント１０４（または異種のアクセスポイント）に送信することができる。ＲＡＣＨプリアンブル受信コンポーネント３１０は、ＲＡＣＨプリアンブルをワイヤレスデバイス１０２から取得することができる。少なくとも部分的にはＲＡＣＨプリアンブル受信に基づき、ＲＡＣＨ応答コンポーネント３１４は、ＲＡＣＨレスポンス信号を生成することができ、かつ、ＲＡＣＨレスポンス信号をワイヤレスデバイス１０２に送信することができる。さらに、例えば、パラメータ生成コンポーネント３１２は、ＲＡＣＨプリアンブルに関連した１つまたは複数の通信パラメータを決定することができる。ある例では、パラメータ生成コンポーネント３１２は、少なくとも部分的にはＲＡＣＨ要求コンポーネント３０８がＲＡＣＨリクエスト信号をワイヤレスデバイス１０２に送信する送信時刻と、ＲＡＣＨプリアンブル受信コンポーネント３１０が対応するＲＡＣＨプリアンブルをワイヤレスデバイス１０２から取得する時刻とに基づいてＲＴＴを計算することができる。別の例では、パラメータ生成コンポーネント３１２は、ＲＡＣＨプリアンブルをワイヤレスデバイス１０２から受信することに関連して受信信号電力を決定または計算することができる。いずれの場合でも、ＲＡＣＨ応答コンポーネント３１４は、ＲＡＣＨレスポンス信号中に１つまたは複数の通信パラメータを含めることができる。
【００３７】
さらに、例えば、ＲＡＣＨレスポンス受信コンポーネント３０２は、ＲＡＣＨレスポンス信号をアクセスポイント１０４から取得することができる。パラメータ決定コンポーネント３０４は、１つまたは複数の通信パラメータを、存在する場合、ＲＡＣＨレスポンス信号から、取り出すことができ、またパラメータ利用コンポーネント３０６は、１つまたは複数の通信パラメータを（例えば、アクセスポイント１０４との通信に関する付加的情報を決定するために）処理することができる。例えば、パラメータ決定コンポーネント３０４が、ＲＴＴをＲＡＣＨレスポンス信号から受信する場合には、パラメータ利用コンポーネント３０６は、少なくとも部分的にはＲＴＴに基づきアクセスポイント１０４の距離を（例えば、ワイヤレスデバイス１０２の位置を決定するために）推定することができる。別の例では、パラメータ決定コンポーネント３０４が、ＲＡＣＨレスポンス信号中の１つまたは複数の通信パラメータとして受信信号電力を取得する場合には、パラメータ利用コンポーネント３０６は、アクセスポイント１０４に関連した経路損失を（例えば、受信信号電力をＲＡＣＨプリアンブル送信に関連した信号電力と関連付けることにより）決定することができる。
【００３８】
さらに別の例では、パラメータ生成コンポーネント３１２は、少なくとも部分的にはＲＴＴ（例えば、ＲＴＴの半分）またはその他のものに基づくことができる、ワイヤレスデバイス１０２に関連したＴＡを計算することができる。この点に関して、ＲＡＣＨ応答コンポーネント３１４はさらに、ＲＡＣＨレスポンス信号を３ＧＰＰ  ＬＴＥ  ＲＡＣＨ手順中に定義されるような、メッセージ２と同じようにするために、ＲＡＣＨレスポンス信号中にＴＡを含めることができる。ＲＡＣＨレスポンス受信コンポーネント３０２は、ＲＡＣＨレスポンス信号を取得することができ、パラメータ決定コンポーネント３０４は、ＴＡを抽出することができる。パラメータ利用コンポーネント３０６は、ワイヤレスデバイス１０２をアクセスポイント１０４に同期させるために、ワイヤレスデバイス１０２のＴＡを受信ＴＡ値に設定することができる。パラメータ生成コンポーネント３１２はまた、ＲＡＣＨレスポンス信号におけるＲＴＴを計算する場合、ＲＴＴが、１つの例として、ＴＡと異なり得ること、およびそれらと独立に計算され得ることが理解されるべきである。
【００３９】
さらに、ＲＡＣＨ応答コンポーネント３１４が、付加的にまたは代替として異種のアクセスポイントにＲＡＣＨレスポンス信号をワイヤレスデバイス１０２に伝達させることができることを理解すべきである。ある例では、ＲＡＣＨ応答コンポーネント３１４は、ＲＡＣＨレスポンス信号および／またはそれらに関連した１つまたは複数のパラメータを異種のアクセスポイントに（例えば、それらに対する有線またはワイヤレスのバックホールリンク上で、ワイヤレスネットワークの１つまたは複数のコンポーネントを介して、および／または同様の手段で）提供することができる。この例では、異種のアクセスポイントは、ＲＡＣＨレスポンス信号をワイヤレスデバイス１０２に送信することができ、および／または受信したパラメータに基づきＲＡＣＨレスポンス信号を生成することができる。いずれの場合にも、ＲＡＣＨレスポンス受信コンポーネント３０２は、同様に、ＲＡＣＨレスポンス信号を異種のアクセスポイントから取得することができる。
【００４０】
図４に転じると、少なくとも部分的にはＲＡＣＨ手順の中のＲＴＴの受信に基づきワイヤレスデバイスの位置を決定することを容易にするワイヤレス通信システム４００が示される。システム４００は、ワイヤレスデバイス１０２などの１つまたは複数のワイヤレスデバイスにコアネットワーク（図示されない）へのアクセスを提供するアクセスポイント１０４を含む。アクセスポイント１０４は、マクロセルアクセスポイント、フェムトセルまたはピコセルアクセスポイント、ｅＮＢ、モバイル基地局、中継ノード、それらの一部、および／または同様のものなどの、ワイヤレスネットワークアクセスを提供する、実質的に任意のデバイスであり得る。ワイヤレスデバイス１０２は、前述のように、モバイルデバイス、ＵＥ、モデム（または他の接続されたデバイス）、それらの一部他などの、ワイヤレスネットワークアクセスを受ける、実質的に任意のデバイスであり得る。
【００４１】
ワイヤレスデバイス１０２は、リクエスト信号をアクセスポイントから取得してそれによりＲＡＣＨ手順を始動するＲＡＣＨリクエスト受信コンポーネント２０２と、ＲＡＣＨ手順を始動するためにＲＡＣＨプリアンブルをアクセスポイントに送信するＲＡＣＨ始動コンポーネント２０４と、ＲＡＣＨプリアンブルに応答してＲＡＣＨレスポンス信号をアクセスポイントから取得するＲＡＣＨレスポンス受信コンポーネント３０２と、を備えることができる。ワイヤレスデバイス１０２は、付加的に、受信したＲＡＣＨレスポンス信号からＲＴＴを抽出するＲＴＴ決定コンポーネント４０２と、少なくとも部分的にはＲＴＴに基づきワイヤレスデバイス１０２の位置を推定する位置決定コンポーネント４０４と、を具備する。
【００４２】
アクセスポイント１０４は、ＲＡＣＨ手順を始動するためのリクエストを生成し、ワイヤレスデバイスに送信するＲＡＣＨ要求コンポーネント３０８と、ＲＡＣＨ手順に関するリクエストに基づきＲＡＣＨプリアンブルをワイヤレスデバイスから取得するＲＡＣＨプリアンブル受信コンポーネント３１０と、を備える。さらに、アクセスポイント１０４は、ＲＡＣＨプリアンブル受信に関連したＲＴＴを決定するＲＴＴ計算コンポーネント４０６と、ＲＴＴを含むＲＡＣＨレスポンス信号をワイヤレスデバイスに送信することができるＲＡＣＨ応答コンポーネント３１４と、を具備することができる。
【００４３】
ある例によれば、ワイヤレスデバイス１０２は、ワイヤレスネットワークと通信するためにアクセスポイント１０４に接続する（例えば、前記のように、ＲＡＣＨ手順を介して）ことができる。さらに、ＲＡＣＨ要求コンポーネント３０８は、１つまたは複数の通信パラメータを測定するために、接続されている間に、ワイヤレスデバイス１０２に送信するためのＲＡＣＨリクエスト信号を生成することができる。ＲＡＣＨ要求コンポーネント３０８は、ＲＡＣＨリクエスト信号をワイヤレスデバイス１０２に送信することができる。ＲＡＣＨリクエスト受信コンポーネント２０２は、前記のように、ＲＡＣＨリクエスト信号を取得することができ、またＲＡＣＨ始動コンポーネント２０４は、ＲＡＣＨリクエスト信号に応答してアクセスポイント１０４に送信するためにＲＡＣＨプリアンブルを決定する（例えば、ランダムに、以前に利用されたＲＡＣＨプリアンブルに基づき、などにより）ことができる。さらに、ある例では、ＲＡＣＨリクエスト信号は、ワイヤレスデバイス１０２により送信されるべきコンテンション無しのＲＡＣＨプリアンブルを指定することができる。
【００４４】
ＲＡＣＨ始動コンポーネント２０４は、生成されたものであれＲＡＣＨリクエスト信号内で受信されたものであれ、ＲＡＣＨプリアンブルをアクセスポイント１０４に送信することができる。ＲＡＣＨプリアンブル受信コンポーネント３１０は、ＲＡＣＨプリアンブルをワイヤレスデバイス１０２から取得することができる。ＲＴＴ計算コンポーネント４０６は、少なくとも部分的にはＲＡＣＨ要求コンポーネント３０８がＲＡＣＨリクエスト信号を送信した時刻と、ＲＡＣＨプリアンブル受信コンポーネント３１０がＲＡＣＨプリアンブルを受信した時刻と、の間の差に基づき、ワイヤレスデバイス１０２に関連したＲＴＴを計算することができる。別の例では、後者の時刻は、いつＲＡＣＨプリアンブルがワイヤレスデバイス１０２から送信されたかに関連してＲＡＣＨプリアンブル中に指定された時刻に関連することができる。
【００４５】
いずれの場合でも、ＲＡＣＨ応答コンポーネント３１４は、前記のように、ＲＴＴを含むＲＡＣＨレスポンス信号を生成することができ、かつ、ＲＡＣＨレスポンス信号をワイヤレスデバイス１０２に送信することができる。ＲＡＣＨレスポンス受信コンポーネント３０２は、ＲＡＣＨレスポンス信号を取得することができ、またＲＴＴ決定コンポーネント４０２は、ＲＡＣＨレスポンス信号からＲＴＴを抽出することができる。少なくとも部分的にはＲＴＴに基づき、位置決定コンポーネント４０４は、アクセスポイント１０４への距離を推定することができる。さらに、例えば、位置決定コンポーネント４０４は、少なくとも部分的には推定された距離（および、例えば、アクセスポイント１０４の位置に関連した１つまたは複数の参照座標）に基づきワイヤレスデバイス１０２の位置を推定することができる。さらに、位置決定コンポーネント４０４が、ある例では、拡張セル識別子（Ｅ−ＣＩＤ）、三角測量および／または類似の位置決定法を用いて、ワイヤレスデバイス１０２の位置を計算するために他のアクセスポイントに対する類似の推定された距離を利用することができることが理解されるべきである。
【００４６】
ここで、図５から図８を参照すると、本明細書に記載される様々な態様に従って実行され得る手法が示される。説明の簡素化の目的で、手法が一連の動作として示されかつ説明されるが、いくつかの動作が、１つまたは複数の態様に従って、異なる順序でおよび／または本明細書に示され、説明される他の動作と同時に発生し得るために、手法が、この動作の順序に限定されないことが、理解され認められるべきである。例えば、当業者は、手法がまた、それに代えて、状態遷移図におけるような、一連の相互に関連する状態または事象として表現され得るであろうことを、理解し認めるであろう。さらに、示された動作の全てが、１つまたは複数の態様に従って手法を実装するために要求されない可能性がある。
【００４７】
ここで、図５に転じると、受信したコマンドに従ってＲＡＣＨ信号を送信することを容易にする例示的手法５００が示される。５０２において、ＲＡＣＨ信号を送信するためのコマンドが、アクセスポイントから受信され得る。前記のように、このコマンドは、ある例では、送信するためのコンテンション無しのＲＡＣＨプリアンブルを含むことができる。５０４において、ＲＡＣＨ信号は、少なくとも部分的には本コマンドに基づいてアクセスポイントに送信され得る。前記のように、本コマンドが、コンテンション無しのＲＡＣＨプリアンブルを含む場合には、このＲＡＣＨプリアンブルは、ＲＡＣＨ信号中に含まれ得る。
【００４８】
図６を参照すると、ＲＡＣＨレスポンス信号中で受信されたパラメータに基づき位置決めを決定する例示的手法６００が示される。６０２において、ＲＡＣＨプリアンブルを送信するためのコマンドは、アクセスポイントから受信され得る。前記のように、このコマンドは、１つの例として、送信するためのコンテンション無しのＲＡＣＨプリアンブルを含むことができる。６０４において、ＲＡＣＨプリアンブルは、アクセスポイントに送信され得る。６０６において、コマンドおよびＲＡＣＨプリアンブルに関連した絶対ＲＴＴを備えるＲＡＣＨレスポンス信号が受信され得る。この点に関し、例えば、ＲＴＴは、アクセスポイントとの通信に関連することができる。６０８において、位置は、少なくとも部分的にはＲＴＴに対応するアクセスポイントへの距離およびアクセスポイントの位置に基づき決定され得る。前記のように、位置が、他のアクセスポイントの付加的な類似の距離および位置に基づいて（例えば、Ｅ−ＣＩＤ、三角測量および／または同様のものを用いて）決定され得ることが、理解されるべきである。
【００４９】
ここで、図７に転じると、ＲＡＣＨ手順を始動するようにワイヤレスデバイスに命令することを容易にする例示的手法７００が示される。７０２において、ＲＡＣＨ手順の始動は、ワイヤレスデバイスから要求され得る。前記のように、例えば、このことは、コンテンション無しのＲＡＣＨプリアンブルをワイヤレスデバイスに提供することを含むことができる。７０４において、ＲＡＣＨ信号は、ワイヤレスデバイスから受信され得る。ＲＡＣＨプリアンブルが提供される場合には、例えば、ＲＡＣＨ信号は、ＲＡＣＨプリアンブルを備えることができる。７０６において、１つまたは複数の通信パラメータは、少なくとも部分的にはＲＡＣＨ信号に基づいて決定され得る。例えば、前記のように、ＲＴＴは、少なくとも部分的にはＲＡＣＨ手順の始動のためのリクエストに関する送信時刻をＲＡＣＨ信号に関連した受信時刻と比較することに基づいて決定され得る。別の例では、受信信号電力は、ＲＡＣＨ信号から決定され得る。
【００５０】
図８を参照すれば、ワイヤレスデバイスと通信することに関連したＲＴＴを計算する例示的手法８００が、示される。８０２において、ＲＡＣＨ手順の始動は、ワイヤレスデバイスから要求され得る。前記のように、例えば、このことはコンテンション無しのＲＡＣＨプリアンブルをワイヤレスデバイスに提供することを含むことができる。８０４において、ＲＡＣＨ信号は、ワイヤレスデバイスから受信され得る。ＲＡＣＨプリアンブルが提供される場合には、例えば、ＲＡＣＨ信号は、ＲＡＣＨプリアンブルを備えることができる。８０６において、ＲＴＴは、ＲＡＣＨ手順を要求する時刻と、ＲＡＣＨ信号を受信する時刻とに基づき計算され得る。例えば、時刻の差は、ＲＴＴを示すことができる。８０８において、ＲＴＴは、ＲＡＣＨレスポンス信号の中でワイヤレスデバイスに送信され得る。前記のように、ＲＴＴは、後で、距離を計算するために（例えば、位置を決定するために）利用され得る。
【００５１】
本明細書に記載される１つまたは複数の態様に従って、受信したＲＡＣＨ信号から通信パラメータを計算すること、他の通信情報を決定するために通信パラメータを利用すること、および／または同様のことに関する推定がなされ得ることが理解されるべきである。本明細書で使用される場合、用語「推定する（infer）」ことまたは「推定（inference）」は、一般に、事象および／またはデータを通じて捕捉されるように一連の観察からシステム、環境、および／または利用者の状態を推察するまたは推定する過程を指す。推定は、特定のコンテンツまたは動作を特定するために用いられ得る、あるいは、例えば、状態についての確率分布を生成することができる。推定は、確率的なもの、すなわち、データおよび事象の考察に基づく関心のある状態についての確率分布の計算結果、であり得る。推定はまた、一連の事象および／またはデータからより高いレベルの事象を構成するために用いられる技術を指すことができる。そのような、推定は、事象が時間的近接性に密接な関連があるかないかにかかわらず、また事象およびデータが１つまたは複数の事象およびデータソースから到来するかどうかの、一連の観察された事象および／または格納された事象データから新しい事象や動作を構築する。
【００５２】
図９を参照すれば、コマンドまたはそのためのリクエストの受信時にＲＡＣＨ信号を送信することを容易にするシステム９００が示される。例えば、システム９００は、少なくとも部分的には、基地局、モバイルデバイスまたはワイヤレスネットワークへのアクセスを提供する他のデバイス内に存在することができる。システム９００が、コンピュータ読み取り可能な媒体上に格納された命令および／またはデータを使用してプロセッサーによって実行される機能を表す機能ブロックであり得る、機能ブロックを含むように表されることが理解されるべきである。システム９００は、関連して動作することができる電気的コンポーネントの論理的グループ９０２を具備する。例えば、論理的グループ９０２は、ＲＡＣＨ信号９０４を送信するためのコマンドをアクセスポイントから受信するための電気的コンポーネントを具備することができる。前記のように、ある例では、コマンドは、送信するためのＲＡＣＨプリアンブルを含むことができる。さらに、論理的グループ９０２は、少なくとも部分的にはコマンドに基づきＲＡＣＨ信号をアクセスポイントに送信するための電気的コンポーネント９０６を備えることができる。前記のように、例えば、ＲＡＣＨプリアンブルが、コマンド中に含まれている場合には、ＲＡＣＨ信号はまた、ＲＡＣＨプリアンブルを含むことができる。
【００５３】
さらに、論理的グループ９０２は、ＲＡＣＨ信号に関連した１つまたは複数のパラメータを備えるＲＡＣＨレスポンス信号をアクセスポイントから受信するための電気的コンポーネント９０８を具備することができる。例えば、１つまたは複数のパラメータは、アクセスポイントとの通信に関連したＲＴＴと、アクセスポイントにおけるＲＡＣＨ信号に関連した受信信号電力と、および／または同様のものを含むことができる。さらに、論理的グループ９０２は、絶対ＲＴＴをＲＡＣＨレスポンス信号から抽出するための電気的コンポーネント９１０を具備する。さらに、論理的グループ９０２は、少なくとも部分的には絶対ＲＴＴに基づき少なくとも部分的にはアクセスポイントの推定された距離を計算することにより位置を決定するための電気的コンポーネント９１２を具備することができる。前記のように、例えば、電気的コンポーネント９１２は、Ｅ−ＣＩＤ、三角測量および／または同様なものを使用して、異種のアクセスポイントに関連した付加的に推定された距離を使用して、距離を決定することができる。さらに、システム９００は、電気的コンポーネント９０４、９０６、９０８、９１０および９１２と関連した機能を実行するための命令および／またはデータを保持するメモリ９１４を具備することができる。メモリ９１４に外付けされるものとして示されているが、電気的コンポーネント９０４、９０６、９０８、９１０および９１２の１つまたは複数がメモリ９１４内に存在し得ることが理解されるべきである。
【００５４】
図１０を参照すれば、関連する通信パラメータを決定するためにワイヤレスデバイスからＲＡＣＨ手順を要求するシステム１０００が示される。例えば、システム１０００は、少なくとも部分的には基地局、モバイルデバイスまたはワイヤレスネットワークへのアクセスを提供する他のデバイス内に常駐することができる。システム１０００が、コンピュータ読み取り可能な媒体上に格納された命令および／またはデータを使用してプロセッサーによって実行される機能を表す機能ブロックであり得る、機能ブロックを含むように表されることが理解されるべきである。システム１０００は、関連して動作することができる電気的コンポーネントの論理的グループ１００２を具備する。例えば、論理的グループ１００２は、ＲＡＣＨ手順の始動をワイヤレスデバイスから要求するための電気的コンポーネント１００４を具備することができる。前記のように、ある例では、リクエストは、ワイヤレスデバイスによる送信のためのＲＡＣＨプリアンブルを含むことができる。さらに、論理的グループ１００２は、ＲＡＣＨ信号をワイヤレスデバイスから受信するための電気的コンポーネント１００６を備えることができる。
【００５５】
前記のように、例えば、ＲＡＣＨ信号は、ＲＡＣＨプリアンブルを含むことができる。さらに、論理的グループ１００２は、少なくとも部分的にはＲＡＣＨ信号に基づき１つまたは複数の通信パラメータを決定するための電気的コンポーネント１００８を具備する。前記のように、例えば、電気的コンポーネント１００６は、ＲＡＣＨ手順の始動要求の時刻とＲＡＣＨ信号受信の時刻とに基づくＲＴＴ、ＲＡＣＨ信号の受信信号電力、などを決定することができる。さらに、論理的グループ１００２は、１つまたは複数の通信パラメータを含むＲＡＣＨレスポンス信号をワイヤレスデバイスに送信するための電気的コンポーネント１０１０を具備する。さらに、システム１０００は、電気的コンポーネント１００４と、１００６と、１００８と、１０１０と、に関連した機能を実行するための命令および／またはデータを保持するメモリ１０１２を具備することができる。メモリ１０１２に外付されるように示されているが、電気的コンポーネント１００４、１００６、１００８、および１０１０の１つまたは複数が、メモリ１０１２内に存在できることが理解されるべきである。
【００５６】
図１１は、本明細書に記載される機能の様々な態様を実装するために利用され得るシステム１１００のブロック図である。ある例では、システム１１００は、基地局またはＮｏｄｅ  Ｂ  １１０２を含む。図示のように、Ｎｏｄｅ  Ｂ  １１０２は、１つまたは複数の信号を１つまたは複数のＵＥ１１０４から１つまたは複数の受信（Ｒｘ）アンテナ１１０６を介して受信し、かつ、１つまたは複数のＵＥ１１０４に１つまたは複数の送信（Ｔｘ）アンテナ１１０８を介して送信することができる。さらに、Ｎｏｄｅ  Ｂ  １１０２は、１つまたは複数の受信アンテナ１１０６から情報を受信する受信機１１１０を備えることができる。ある例では、受信機１１１０は、受信した情報を復調する復調器（Ｄｅｍｏｄ）１１１２と動作可能なように関連付けられ得る。復調されたシンボルは、その後、プロセッサー１１１４により解析され得る。プロセッサー１１１４は、コードクラスターに関連した情報、アクセス端末割り当て、それらに関連したルックアップテーブル、ユニークスクランブルシーケンス、および／または他の適切な形式の情報を格納することができる、メモリ１１１６に結合され得る。ある例では、Ｎｏｄｅ  Ｂ  １１０２は、手法５００、６００、７００、８００および／または他の類似した適切な手法を実行するためにプロセッサー１１１４を用いることができる。Ｎｏｄｅ  Ｂ  １１０２はまた、１つまたは複数の送信アンテナ１１０８を通じた送信機１１２０による送信のために信号を多重化することができる変調器１１１８を具備することができる。
【００５７】
図１２は、本明細書に記載される機能の様々な態様を実装するために利用され得る別のシステム１２００のブロック図である。ある例では、システム１２００は、モバイル端末１２０２を含む。図示されたように、モバイル端末１２０２は、１つまたは複数の基地局１２０４から１つまたは複数の信号を受信し、かつ、１つまたは複数のアンテナ１２０８を介して１つまたは複数の基地局１２０４へ送信することができる。さらに、モバイル端末１２０２は、１つまたは複数のアンテナ１２０８から情報を受信する受信機１２１０を備えることができる。ある例では、受信機１２１０は、受信した情報を復調する復調器（Ｄｅｍｏｄ）１２１２と動作可能なように関連付けられ得る。復調されたシンボルは、その後プロセッサー１２１４により解析され得る。プロセッサー１２１４は、モバイル端末１２０２に関連したデータおよび／またはプログラムコードを格納できる、メモリ１２１６に結合され得る。さらに、モバイル端末１２０２は、手法５００、６００、７００、８００および／または他の類似した適切な手法を実行するためにプロセッサー１２１４を用いることができる。モバイル端末１２０２はまた、説明した機能を達成するために前図で説明した１つまたは複数のコンポーネントを用いることができ、ある例では、コンポーネントがプロセッサー１２１４により実装され得る。モバイル端末１２０２はまた、送信機１２２０により１つまたは複数のアンテナ１２０８を通じた送信のために信号を多重化することができる変調器１２１８を具備することができる。
【００５８】
ここで、図１３を参照すると、ワイヤレス多元アクセス通信システムの説明図が、様々な態様に従って提供される。ある例では、アクセスポイント１３００（ＡＰ）は、複数のアンテナグループを具備する。図１３に示されるように、あるアンテナグループは、アンテナ１３０４および１３０６を含むことができ、別のグループは、アンテナ１３０８および１３１０を含むことができ、また別のグループは、アンテナ１３１２および１３１４を含むことができる。図１３には各アンテナグループに対して２つのアンテナのみが示されているが、より多いまたはより少ないアンテナが各アンテナグループに対して利用され得ることが理解されるであろう。別の例では、アクセス端末１３１６は、アンテナ１３１２および１３１４と通信中であり、そこでは、アンテナ１３１２および１３１４は、アクセス端末１３１６に下りリンク１３２０上で情報を送信し、また、アクセス端末１３１６から逆方向リンク１３１８上で情報を受信する。加えておよび／またはもう１つの方法として、アクセス端末１３２２は、アンテナ１３０６および１３０８と通信中であり、そこでは、アンテナ１３０６および１３０８は、アクセス端末１３２２に下りリンク１３２６上で情報を送信し、またアクセス端末１３２２から逆方向リンク１３２４上で情報を受信する。周波数分割複信システムでは、通信リンク１３１８、１３２０、１３２４および１３２６は、通信に異なる周波数を使用することができる。例えば、下りリンク１３２０は、その後逆方向リンク１３１８により使用されるものと異なる周波数を使用することができる。
【００５９】
通信するように設計されている各グループのアンテナおよび／または領域は、アクセスポイントのセクターと呼ばれ得る。ある態様に従えば、アンテナグループは、アクセスポイント１３００によりカバーされる領域のセクター内のアクセス端末と通信するように設計され得る。下りリンク１３２０および１３２６上の通信では、アクセスポイント１３００の送信アンテナは、異なるアクセス端末１３１６および１３２２に対する下りリンクの信号対ノイズ比を改善するためにビームフォーミングを利用することができる。また、カバー範囲にランダムに散在するアクセス端末に送信するためにビームフォーミングを使用するアクセスポイントは、単一のアンテナを通じて全てのアクセス端末へ送信するアクセスポイントより、隣接するセル内のアクセス端末に対する干渉が少なくなる。
【００６０】
アクセスポイント、例えば、アクセスポイント１３００は、端末と通信するために使用される固定局であり得て、また基地局、Ｎｏｄｅ  Ｂ、アクセスネットワーク、および／または他の適切な用語で呼ばれ得る。さらに、アクセス端末、例えば、アクセス端末１３１６または１３２２はまた、モバイル端末、利用者装置、ワイヤレス通信デバイス、端末、ワイヤレス端末および／または他の適切な用語で呼ばれ得る。
【００６１】
ここで、図１４を参照すると、本明細書に記載される様々な態様が機能することができる例示的ワイヤレス通信システム１４００を示すブロック図が提供される。ある例では、システム１４００は、送信機システム１４１０と、受信機システム１４５０と、を具備する複数入力複数出力（ＭＩＭＯ）システムである。しかしながら、送信機システム１４１０および／または受信機システム１４５０はまた、例えば、複数の送信アンテナ（例えば、基地局上の）が、１つまたは複数のシンボルストリームを単一のアンテナデバイス（例えば、モバイル局）に送信することができる、複数入力単一出力システムにも適用され得ることが理解されたい。さらに、本明細書に記載される送信機システム１４１０および／または受信機システム１４５０の態様が、単一入力単一出力アンテナシステムに関連して利用され得ることが理解されたい。
【００６２】
ある態様によれば、いくつかのデータストリームに対するトラヒックデータが、送信機システム１４１０においてデータソース１４１２から送信（ＴＸ）データプロセッサー１４１４に供給される。ある例では、各データストリームは、その後、それぞれの送信アンテナ１４２４を介して送信され得る。さらに、ＴＸデータプロセッサー１４１４は、符号化されたデータを提供するためにそれぞれのデータストリームに対して選択された特定の符号化方式に基づき各データストリームに対するトラヒックデータをフォーマットし、符号化し、かつインタリーブすることができる。ある例では、各データストリームに対して符号化されたデータは、その後、ＯＦＤＭ技術を使用してパイロットデータと多重化され得る。パイロットデータは、例えば、既知の方法で処理された既知のデータパターンであり得る。さらに、パイロットデータは、チャネル応答を推定するために受信機システム１４５０において使用され得る。送信機システム１４１０に戻ると、多重化されたパイロットおよび各データストリームに対して符号化されたデータは、変調されたシンボルを供給するためにそれぞれのデータストリームに対して選択された特定の変調方式（例えば、ＢＰＳＫ、ＱＰＳＫ、Ｍ−ＰＳＫ、またはＭ−ＱＡＭ）に基づき変調（すなわち、シンボルマッピング）され得る。ある例では、各データストリームに対するデータレート、符号化および変調は、プロセッサー１４３０上で実行されおよび／または提供される命令により決定され得る。
【００６３】
次に、全てのデータストリームに対する変調シンボルは、さらに変調シンボルを処理できる（例えば、ＯＦＤＭに対して）、ＴＸ  ＭＩＭＯプロセッサー１４２０に供給され得る。ＴＸ  ＭＩＭＯプロセッサー１４２０は、その後、ＮT個の変調シンボルストリームをＮT個の送受信機１４２２ａから１４２２ｔに供給することができる。ある例では、各送受信機１４２２は、１つまたは複数のアナログ信号を供給するためにそれぞれのシンボルストリームを受信しかつ処理することができる。各送受信機１４２２は、その後さらに、ＭＩＭＯチャネル上での送信に適した変調信号を供給するためにアナログ信号を調整する（例えば、増幅する、フィルターを掛ける、およびアップコンバートする）ことができる。従って、送受信機１４２２ａから１４２２ｔまでのＮT個の変調信号は、その後、ＮT本のアンテナ１４２４ａから１４２４ｔによりそれぞれ送信され得る。
【００６４】
別の態様によれば、送信された変調信号は、ＮR本のアンテナ１４５２ａから１４５２ｒにより受信機システム１４５０で受信され得る。各アンテナ１４５２から受信された信号は、その後、それぞれの送受信機１４５４に供給され得る。ある例では、各送受信機１４５４は、それぞれの受信された信号を調整する（例えば、フィルターを掛ける、増幅するおよびダウンコンバートする）ことができ、サンプルを供給するために調整された信号をデジタル化し、その後、対応する「受信」シンボルストリームを供給するためにサンプルを処理する。ＲＸ  ＭＩＭＯ／データプロセッサー１４６０は、その後、ＮT個の「検出された」シンボルストリームを供給するために特定の受信機処理技術に基づいてＮR個の送受信機１４５４からのＮR個の受信信号ストリームを受信しかつ処理することができる。ある例では、各検出されたシンボルストリームは、対応するデータストリームに対して送信された変調シンボルの推定であるシンボルを含むことができる。ＲＸ  ＭＩＭＯ／データプロセッサー１４６０は、その後、対応するデータストリームに対するトラヒックデータを回復するために少なくとも部分的には各検出されたシンボルストリームを復調し、デインタリーブし、かつ復号化することにより各シンボルストリームを処理することができる。従って、ＲＸ  ＭＩＭＯ／データプロセッサー１４６０による処理は、送信機システム１４１０におけるＴＸ  ＭＩＭＯプロセッサー１４２０およびＴＸデータプロセッサー１４１８により実行されたことと相補的であり得る。ＲＸ  ＭＩＭＯ／データプロセッサー１４６０は、さらに、処理されたシンボルストリームをデータシンク１４６４に供給することができる。
【００６５】
ある態様によれば、ＲＸ  ＭＩＭＯ／データプロセッサー１４６０により生成されたチャネル応答推定は、受信機における空間／時間処理を実行し、電力レベルを調整し、変調レートまたは方式を変更し、および／または他の適切な動作のために使用され得る。さらに、ＲＸ  ＭＩＭＯ／データプロセッサー１４６０はさらに、例えば、検出されたシンボルストリームの信号対ノイズおよび干渉比（ＳＮＲ）などのチャネル特性を推定することができる。ＲＸ  ＭＩＭＯ／データプロセッサー１４６０は、その後、プロセッサー１４７０に推定チャネル特性を供給することができる。ある例では、ＲＸ  ＭＩＭＯ／データプロセッサー１４６０および／またはプロセッサー１４７０はさらに、システムに対する「動作時」ＳＮＲの推定を導き出すことができる。プロセッサー１４７０は、その後、通信リンクおよび／または受信データストリームに関する情報を備えることができる、チャネル状態情報（ＣＳＩ）を供給することができる。この情報は、例えば、動作時ＳＮＲを含むことができる。ＣＳＩは、その後、ＴＸデータプロセッサー１４１８により処理され、変調器１４８０により変調され、送受信機１４５４ａから１４５４ｒにより調整され、かつ送信機システム１４１０に返送され得る。さらに、受信機システム１４５０におけるデータソース１４１６は、ＴＸデータプロセッサー１４１８により処理されるべき追加データを供給することができる。
【００６６】
送信機システム１４１０に戻ると、受信機システム１４５０からの変調された信号は、その後、アンテナ１４２４により受信され、送受信機１４２２により調整され、復調器１４４０により復調され、かつ、受信機システム１４５０により報告されたＣＳＩを回復するためにＲＸデータプロセッサー１４４２により処理されることができる。ある例では、報告されたＣＳＩは、その後、プロセッサー１４３０に供給され、１つまたは複数のデータストリームに対して使用されるべきデータレート並びに符号化および変調方式を決定するために使用され得る。決定された符号化および変調方式は、その後、量子化および／または受信機システム１４５０への後の送信での使用のために送受信機１４４２に供給され得る。さらにおよび／またはもう１つの方法として、報告されたＣＳＩは、ＴＸデータプロセッサー１４１４およびＴＸ  ＭＩＭＯプロセッサー１４２０に対する様々なコントロールを生成するためにプロセッサー１４３０により使用され得る。別の例では、ＣＳＩおよび／またはＲＸデータプロセッサー１４４２により処理された他の情報が、データシンク１４４４に提供され得る。
【００６７】
ある例では、送信機システム１４１０におけるプロセッサー１４３０および受信機システム１４５０におけるプロセッサー１４７０は、それぞれのシステムにおける動作を指示する。さらに、送信機システム１４１０におけるメモリ１４３２および受信機システム１４５０におけるメモリ１４７２は、プロセッサー１４３０および１４７０により使用されるプログラムおよびデータ用の記憶域をそれぞれ提供することができる。さらに、受信機システム１４５０において、様々な処理技術が、ＮR個の受信信号を処理するために使用されて、ＮT個の送信シンボルストリームを検出することができる。これらの受信機処理技術は、等化技術とも呼ばれる、空間／時間受信機処理技術、および／または「逐次干渉除去」または「逐次除去」受信機処理技術とも呼ばれる、「逐次ナル化／等化および干渉除去」受信機処理技術を含むことができる。
【００６８】
本明細書に記載される態様が、ハードウェア、ソフトウェア、ファームウェア、ミドルウェア、マイクロコードまたはそれらの任意の組み合わせにより実装され得ることを理解されたい。システムおよび／または方法が、ソフトウェア、ファームウェア、ミドルウェアまたはマイクロコード、プログラムコードまたはコードセグメント内に実装される場合に、それらは、記憶コンポーネントなどの機械読み取り可能な媒体中に格納され得る。コードセグメントは、プロシージャ、関数、サブプログラム、プログラム、ルーチン、サブルーチン、モジュール、ソフトウェアパッケージ、クラスまたは命令、データ構造、またはプログラム文の任意の組み合わせを表し得る。コードセグメントは、情報、データ、アーギュメント、パラメータまたはメモリ内容物を通過させおよび／または受信することにより別のコードセグメントまたはハードウェア回路に結合され得る。情報、アーギュメント、パラメータ、データ等は、メモリ共有、メッセージパッシング、トークンパッシング、ネットワーク伝送などを含む任意の適切な手段を使用して、通過させ、回送され、または送信され得る。
【００６９】
ソフトウェアの実装のために、本明細書に記載された技術は、本明細書に記載された機能を実行するモジュール（例えば、プロシージャ、関数など）で実装され得る。ソフトウェアコードは、メモリユニット内に格納され、かつ、プロセッサーにより実行され得る。メモリユニットは、プロセッサー内にまたはプロセッサーに外付けで実装され得て、いずれの場合にも、公知の技術である様々な手段を介して通信できるようにプロセッサーに結合され得る。
【００７０】
上記に説明されてきたものは、１つまたは複数の態様の例を含む。無論、前述の態様を説明する目的のためにコンポーネントまたは手法のあらゆる考えられる組み合わせを説明することは不可能であるが、当業者は、様々な態様のさらに多くの組み合わせおよび置換が可能であることを認識できる。従って、説明された態様は、添付の特許請求の範囲の趣旨および範囲内に入る全てのそのような変更、修正および変形を包含することを意図したものである。さらに、用語「含む（includes）」が、詳細な説明または特許請求の範囲いずれの中でも使用される範囲について、当該用語は、用語「備える（comprising）」と類似した意味で包括的であることを意図しており、「備える（comprising）」が特許請求の範囲中で転換語として用いられる場合に言い換えられる。さらに、詳細な説明または特許請求の範囲のいずれかで使用される用語「または（ｏｒ）」は、「非排他的ｏｒ」であることを意味する。
以下に、本願出願の当初の特許請求の範囲に記載された発明を付記する。
［１］ランダムアクセスチャネル（ＲＡＣＨ）信号を送信するためのコマンドをアクセスポイントから受信することと、
少なくとも部分的には前記コマンドに基づき前記ＲＡＣＨ信号を前記アクセスポイントに送信することと、
を備える、ワイヤレス通信の方法。
［２］さらに、前記ＲＡＣＨ信号に関連した１つまたは複数のパラメータを備えるＲＡＣＨレスポンス信号を前記アクセスポイントから受信することを備える、［１］に記載の方法。
［３］前記１つまたは複数のパラメータが、前記コマンドの送信時刻および前記ＲＡＣＨ信号の受信時刻に関連した絶対ラウンドトリップタイム（ＲＴＴ）を備える、［２］に記載の方法。
［４］少なくとも部分的には前記絶対ＲＴＴに基づき前記アクセスポイントの距離を推定することと、
少なくとも部分的には前記距離および前記アクセスポイントの位置に関連した１つまたは複数の参照座標に基づき位置を決定することと、
をさらに備える、［３］に記載の方法。
［５］前記１つまたは複数のパラメータが、前記ＲＡＣＨ信号に関連した受信信号電力を備える、［２］に記載の方法。
［６］少なくとも部分的には、前記ＲＡＣＨ信号に関連した前記受信信号電力と前記ＲＡＣＨ信号を前記アクセスポイントに送信するために利用された信号電力とに基づいて前記アクセスポイントに関連した経路損失を計算することをさらに備える、［５］に記載の方法。
［７］前記コマンドを受信することが、コンテンション無しのＲＡＣＨプリアンブルを前記アクセスポイントから受信することを含み、前記ＲＡＣＨ信号を送信することが、前記コンテンション無しのＲＡＣＨプリアンブルをアクセスポイントに送信することを含む、［１］に記載の方法。
［８］前記ＲＡＣＨ信号に関連した１つまたは複数のパラメータを備えるＲＡＣＨレスポンス信号を異種のアクセスポイントから受信することをさらに備える、［１］に記載の方法。
［９］アクセスポイントに関連したランダムアクセスチャネル（ＲＡＣＨ）上で送信するためにコマンドを前記アクセスポイントから取得し、かつ、
ＲＡＣＨ信号を前記アクセスポイントに前記ＲＡＣＨ上で伝達する、
ように構成された少なくとも１つのプロセッサーと、
前記少なくとも１つのプロセッサーに結合されたメモリと、
を備える、ワイヤレス通信装置。
［１０］前記少なくとも１つのプロセッサーがさらに、前記ＲＡＣＨ信号に関連した１つまたは複数のパラメータを備えるＲＡＣＨレスポンス信号を前記アクセスポイントから取得するように構成される、［９］に記載のワイヤレス通信装置。
［１１］前記１つまたは複数のパラメータが、前記コマンドの送信時刻および前記ＲＡＣＨ信号の受信時刻に関連した絶対ラウンドトリップタイム（ＲＴＴ）を備える、［１０］に記載のワイヤレス通信装置。
［１２］前記少なくとも１つのプロセッサーがさらに、
少なくとも部分的には前記絶対ＲＴＴに基づき前記アクセスポイントの距離を計算し、かつ、
少なくとも部分的には前記距離と、前記アクセスポイントの位置に関連した１つまたは複数の参照座標とに基づき前記ワイヤレス通信装置の位置を決定する、
ように構成された、［１１］に記載のワイヤレス通信装置。
［１３］前記コマンドが、コンテンション無しのＲＡＣＨプリアンブルを含み、前記少なくとも１つのプロセッサーがさらに、少なくとも部分的には前記コンテンション無しのＲＡＣＨプリアンブルに基づき前記ＲＡＣＨ信号を生成するように構成された、［９］に記載のワイヤレス通信装置。
［１４］ランダムアクセスチャネル（ＲＡＣＨ）信号を送信するためのコマンドをアクセスポイントから受信するための手段と、
少なくとも部分的には前記コマンドに基づき前記ＲＡＣＨ信号を前記アクセスポイントに送信するための手段と、
を備える、ワイヤレス通信装置。
［１５］前記ＲＡＣＨ信号に関連した１つまたは複数のパラメータを備えるＲＡＣＨレスポンス信号を前記アクセスポイントから受信するための手段をさらに備える、［１４］に記載のワイヤレス通信装置。
［１６］前記１つまたは複数のパラメータが、前記コマンドの送信時刻および前記ＲＡＣＨ信号の受信時刻に関連した絶対ラウンドトリップタイム（ＲＴＴ）を備える、［１５］に記載のワイヤレス通信装置。
［１７］前記絶対ＲＴＴを前記ＲＡＣＨレスポンス信号から抽出するための手段と、
少なくとも部分的には前記絶対ＲＴＴに基づき少なくとも部分的には前記アクセスポイントの推定距離を計算することにより前記ワイヤレス通信装置の位置を決定するための手段と、
をさらに備える、［１６］に記載のワイヤレス通信装置。
［１８］前記コマンドが、コンテンション無しのＲＡＣＨプリアンブルを含み、前記ＲＡＣＨ信号が、前記コンテンション無しのＲＡＣＨプリアンブルを備える、［１４］に記載のワイヤレス通信装置。
［１９］少なくとも１つのコンピュータに、アクセスポイントに関連したランダムアクセスチャネル（ＲＡＣＨ）上で送信するためにコマンドを前記アクセスポイントから取得させるためのコードと、
前記少なくとも１つのコンピュータに、ＲＡＣＨ信号を前記アクセスポイントに前記ＲＡＣＨ上で伝達させるためのコードと、
を備えるコンピュータ読み取り可能な媒体を備える、コンピュータプログラム製品。
［２０］前記コンピュータ読み取り可能な媒体がさらに、前記少なくとも１つのコンピュータに、前記ＲＡＣＨ信号に関連した１つまたは複数のパラメータを備えるＲＡＣＨレスポンス信号を前記アクセスポイントから取得させるためのコードを備える、［１９］に記載のコンピュータプログラム製品。
［２１］前記１つまたは複数のパラメータが、前記コマンドの送信時刻および前記ＲＡＣＨ信号の受信時刻に関連した絶対ラウンドトリップタイム（ＲＴＴ）を備える、［２０］に記載のコンピュータプログラム製品。
［２２］前記コンピュータ読み取り可能な媒体がさらに、
前記少なくとも１つのコンピュータに、少なくとも部分的には前記絶対ＲＴＴに基づき前記アクセスポイントの距離を計算させるためのコードと、
前記少なくとも１つのコンピュータに、少なくとも部分的には前記距離と、前記アクセスポイントの位置に関連した１つまたは複数の参照座標とに基づき位置を決定させるためのコードと、
を備える、［２１］に記載のコンピュータプログラム製品。
［２３］前記コマンドが、コンテンション無しのＲＡＣＨプリアンブルを含み、前記コンピュータ読み取り可能な媒体がさらに、前記少なくとも１つのコンピュータに、少なくとも部分的には前記コンテンション無しのＲＡＣＨプリアンブルに基づき前記ＲＡＣＨ信号を生成させるためのコードを備える、［１９］に記載のコンピュータプログラム製品。
［２４］ＲＡＣＨ信号を送信するためのコマンドをアクセスポイントから取得するランダムアクセスチャネル（ＲＡＣＨ）リクエスト受信コンポーネントと、
少なくとも部分的には前記コマンドに基づき前記ＲＡＣＨ信号を前記アクセスポイントに送信してＲＡＣＨ手順を始動するＲＡＣＨ始動コンポーネントと、
を備える、ワイヤレス通信装置。
［２５］前記ＲＡＣＨ信号に関連した１つまたは複数のパラメータを備えるＲＡＣＨレスポンス信号を前記アクセスポイントから取得するＲＡＣＨレスポンス受信コンポーネントをさらに備える、［２４］に記載のワイヤレス通信装置。
［２６］前記１つまたは複数のパラメータが、前記コマンドの送信時刻と前記ＲＡＣＨ信号の受信時刻に関連した絶対ラウンドトリップタイム（ＲＴＴ）を備える、［２５］に記載のワイヤレス通信装置。
［２７］前記絶対ＲＴＴを前記ＲＡＣＨレスポンス信号から抽出するＲＴＴ決定コンポーネントと、
少なくとも部分的には前記絶対ＲＴＴに基づき少なくとも部分的には前記アクセスポイントの推定距離を計算することにより前記ワイヤレス通信装置の位置を計算する位置決定コンポーネントと、
をさらに備える、［２６］に記載のワイヤレス通信装置。
［２８］前記コマンドが、コンテンション無しのＲＡＣＨプリアンブルを含み、前記ＲＡＣＨ信号が、前記コンテンション無しのＲＡＣＨプリアンブルを備える、［２４］に記載のワイヤレス通信装置。
［２９］ランダムアクセスチャネル（ＲＡＣＨ）手順の始動をワイヤレスデバイスから要求することと、ＲＡＣＨ信号を前記ワイヤレスデバイスから受信することと、
少なくとも部分的には前記ＲＡＣＨ信号に基づいて１つまたは複数の通信パラメータを決定することと、
を備える、ワイヤレス通信の方法。
［３０］前記１つまたは複数の通信パラメータを含むＲＡＣＨレスポンス信号を前記ワイヤレスデバイスに送信すること、をさらに備える、［２９］に記載の方法。
［３１］前記１つまたは複数の通信パラメータを決定することが、少なくとも部分的には前記始動を要求することに関連した送信時刻と前記ＲＡＣＨ信号に関連した受信時刻に基づいて絶対ラウンドトリップタイム（ＲＴＴ）を決定することを含む、［３０］に記載の方法。
［３２］前記１つまたは複数の通信パラメータを決定することが、前記ＲＡＣＨ信号の受信信号電力を決定することを含む、［３０］に記載の方法。
［３３］前記始動を要求することが、特定のコンテンション無しのＲＡＣＨプリアンブルの送信を要求することを含み、前記ＲＡＣＨ信号が、前記特定のコンテンション無しのＲＡＣＨプリアンブルを含む、［２９］に記載の方法。
［３４］前記ワイヤレスデバイスに送信するためのＲＡＣＨレスポンス信号または前記１つまたは複数の通信パラメータを異種のアクセスポイントに伝達すること、をさらに備える、［２９］に記載の方法。
［３５］少なくとも１つのプロセッサーであって、
ランダムアクセスチャネル（ＲＡＣＨ）手順を始動するためのリクエストをワイヤレスデバイスに伝達し、
ＲＡＣＨ信号を前記ワイヤレスデバイスから取得し、
少なくとも部分的には前記ＲＡＣＨ信号に基づき１つまたは複数の通信パラメータを計算するように構成された少なくとも１つのプロセッサーと、
前記少なくとも１つのプロセッサーに結合されたメモリと、
を備える、ワイヤレス通信装置。
［３６］前記少なくとも１つのプロセッサーがさらに、前記１つまたは複数の通信パラメータを前記ワイヤレスデバイスにＲＡＣＨレスポンス信号内で送信するように構成される、［３５］に記載のワイヤレス通信装置。
［３７］前記少なくとも１つのプロセッサーがさらに、少なくとも部分的には前記リクエストを伝達することに関連した送信時刻と前記ＲＡＣＨ信号に関連した受信時刻に基づいて絶対ラウンドトリップタイム（ＲＴＴ）を決定するように構成され、前記１つまたは複数の通信パラメータが、前記ＲＴＴを備える、［３６］に記載のワイヤレス通信装置。
［３８］前記ＲＡＣＨ手順を始動するための前記リクエストが、コンテンション無しのＲＡＣＨプリアンブルを含み、前記ＲＡＣＨ信号が、前記コンテンション無しのＲＡＣＨプリアンブルを含む、［３５］に記載のワイヤレス通信装置。
［３９］ランダムアクセスチャネル（ＲＡＣＨ）手順の始動をワイヤレスデバイスから要求するための手段と、
ＲＡＣＨ信号を前記ワイヤレスデバイスから受信するための手段と、
少なくとも部分的には前記ＲＡＣＨ信号に基づいて１つまたは複数の通信パラメータを決定するための手段と、
を備える、ワイヤレス通信装置。
［４０］さらに、前記１つまたは複数の通信パラメータを含むＲＡＣＨレスポンス信号を前記ワイヤレスデバイスに送信するための手段を備える、［３９］に記載のワイヤレス通信装置。
［４１］前記１つまたは複数の通信パラメータが、少なくとも部分的には前記始動を要求することに関連した送信時刻と前記ＲＡＣＨ信号に関連した受信時刻に基づき計算される絶対ラウンドトリップタイム（ＲＴＴ）を備える、［４０］に記載のワイヤレス通信装置。
［４２］少なくとも１つのコンピュータに、ランダムアクセスチャネル（ＲＡＣＨ）手順を始動させるためのリクエストをワイヤレスデバイスに伝達させるためのコードと、
前記少なくとも１つのコンピュータに、ＲＡＣＨ信号を前記ワイヤレスデバイスから取得させるためのコードと、
前記少なくとも１つのコンピュータに、少なくとも部分的には前記ＲＡＣＨ信号に基づき１つまたは複数の通信パラメータを計算させるためのコードと、
を備えるコンピュータ読み取り可能な媒体を備える、コンピュータプログラム製品。
［４３］前記コンピュータ読み取り可能な媒体がさらに、前記少なくとも１つのコンピュータに、前記１つまたは複数の通信パラメータを前記ワイヤレスデバイスにＲＡＣＨレスポンス信号内で送信させるためのコードを備える、［４２］に記載のコンピュータプログラム製品。
［４４］前記コンピュータ読み取り可能な媒体がさらに、前記少なくとも１つのコンピュータに、前記リクエストを伝達することに関連した送信時刻と前記ＲＡＣＨ信号に関連した受信時刻とに少なくとも部分的に基づいて絶対ラウンドトリップタイム（ＲＴＴ）を決定させるためのコードを備え、前記１つまたは複数の通信パラメータが、前記ＲＴＴを備える、［４３］に記載のコンピュータプログラム製品。
［４５］前記ＲＡＣＨ手順を始動するための前記リクエストが、コンテンション無しのＲＡＣＨプリアンブルを含み、前記ＲＡＣＨ信号が、前記コンテンション無しのＲＡＣＨプリアンブルを含む、［４２］に記載のコンピュータプログラム製品。
［４６］ワイヤレスデバイスにＲＡＣＨ手順を始動することを命令するランダムアクセスチャネル（ＲＡＣＨ）要求コンポーネントと、
ＲＡＣＨ信号を前記ワイヤレスデバイスから取得するＲＡＣＨプリアンブル受信コンポーネントと、
少なくとも部分的には前記ＲＡＣＨ信号に基づき１つまたは複数の通信パラメータを計算するパラメータ生成コンポーネントと、
を備える、ワイヤレス通信装置。
［４７］さらに、前記１つまたは複数の通信パラメータを含むＲＡＣＨレスポンス信号を前記ワイヤレスデバイスに送信するＲＡＣＨ応答コンポーネントを備える、［４６］に記載のワイヤレス通信装置。
［４８］前記１つまたは複数の通信パラメータが、前記ＲＡＣＨ要求コンポーネントが前記ＲＡＣＨ手順を始動することを前記ワイヤレスデバイスに命令することに関連した送信時刻と前記ＲＡＣＨプリアンブル受信コンポーネントが前記ＲＡＣＨ信号を取得することに関連した受信時刻とに少なくとも部分的に基づき計算された絶対ラウンドトリップタイム（ＲＴＴ）を備える、［４７］に記載のワイヤレス通信装置。
【図１】
0005571182.tif 000002
【図２】
0005571182.tif 000003
【図３】
0005571182.tif 000004
【図４】
0005571182.tif 000005
【図５】
0005571182.tif 000006
【図６】
0005571182.tif 000007
【図７】
0005571182.tif 000008
【図８】
0005571182.tif 000009
【図９】
0005571182.tif 000010
【図１０】
0005571182.tif 000011
【図１１】
0005571182.tif 000012
【図１２】
0005571182.tif 000013
【図１３】
0005571182.tif 000014
【図１４】
0005571182.tif 000015